Podtech/llm-jp-corpus-v4-ja_patent huggingface dataset:
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
第１疎水性オリゴマー、イオン伝導性モノマー、及び該オリゴマーと該モノマーを結合させるリンキングモノマーを含有するイオン伝導性コポリマーであって、
第１疎水性オリゴマーが式（ＡＢ）ｍＡ又は（ＢＡ）ｍＢで表わされ、
式（ＡＢ）ｍＡが（（Ａｒ１Ｘ１−Ａｒ２−Ｘ２Ａｒ３−Ｘ３）ｍ−Ａｒ１Ｘ１−Ａｒ２−）ａで示され、
式（ＢＡ）ｍＢが（（Ａｒ３−Ｘ３−Ａｒ１−Ｘ１Ａｒ２Ｘ２）ｍ−Ａｒ３）ａで示され、
イオン伝導性モノマーが式（Ａｒ７−Ｘ７−Ａｒ８）ｃで表され、
リンキングモノマーが−Ｒ１−Ａｒ９−Ｙ−Ａｒ１０−Ｒ２−で表される該イオン伝導性コポリマー：
上記の式において、
Ａｒ１、Ａｒ２、Ａｒ７、Ａｒ８、Ａｒ９、及びＡｒ１０は相互に独立してフェニル、置換フェニル、ナフチル、テルフェニル、アリールニトリル、及び置換アリールニトリルを示し、
１又は複数のＡｒ７及び／又は１又は複数のＡｒ８はさらにイオン伝導性基を含み、
Ｘ１は相互に独立して−Ｃ（Ｏ）−又は−Ｓ（Ｏ）２−を示し、
Ｘ２及びＸ３は相互に独立して−Ｏ−又は−Ｓ−を示し、
Ｘ７は単結合、−Ｃ（Ｏ）−又は−Ｓ（Ｏ）２−を示し、
該イオン伝導性基はＳＯ３−、−ＣＯＯ−、Ｈ２ＰＯ３−又はスルホンイミドを示し、Ｒ１及びＲ２は相互に独立して−Ｏ−又は−Ｓ−を示し、
Ｙは単結合、−Ｃ（Ｏ）−又は−Ｓ（Ｏ）２−を示し（Ｙが単結合を示すときには、Ａｒ１０は存在していてもよく、あるいは存在していなくてもよい）、
ａ及びｃは相互に独立して０．０１〜０．９８の数を示し（但し、ａ＋ｃ＝１である）、ｍは１〜１２の数を示し、
Ａｒ３は下記の化学式で表される基を示す：
【化１】
2007517923.tif 000001
【請求項２】
第１疎水性オリゴマーと同一又は異なる第２疎水性オリゴマーをさらに含有する請求項１記載のイオン伝導性コポリマーであって、該オリゴマーが式（ＣＤ）ｎＣ又は（ＤＣ）ｎＤで表わされ、
式（ＣＤ）ｎＣが（（Ａｒ４−Ｘ４−Ａｒ５−Ｘ５−Ａｒ６−Ｘ６）ｎ−Ａｒ４−Ｘ４−Ａｒ５−）ｂで示され、
式（ＤＣ）ｎＤが（（Ａｒ６−Ｘ６−Ａｒ４−Ｘ４−Ａｒ５−Ｘ５）ｎ−Ａｒ６）ｂで示される該イオン伝導性コポリマー：
上記の式において、
Ａｒ４及びＡｒ５は相互に独立してフェニル、置換フェニル、ナフチル、テルフェニル、アリールニトリル、及び置換アリールニトリルを示し、
Ｘ４は相互に独立して−Ｃ（Ｏ）−又は−Ｓ（Ｏ）２−を示し、
Ｘ５及びＸ６は相互に独立して−Ｏ−又は−Ｓ−を示し、
ｂは０．０１〜０．９８の数を示し（但し、ａ＋ｂ＋ｃ＝１である）、
ｎは１〜１２の数を示し、
Ａｒ６は下記の化学式で表される基を示す：
【化２】
2007517923.tif 000002
【請求項３】
第２疎水性オリゴマーが第１疎水性オリゴマーと相違するオリゴマーである請求項２記載のイオン伝導性コポリマー。
【請求項４】
次式で表される請求項３記載のイオン伝導性コポリマー：
【化３】
2007517923.tif 000003
式中、ａは０．０５〜０．２の数を示し、ｂは０．０１〜０．２の数を示し、ｃは０．５〜０．９５の数を示し、Ａｒは次式で表される基を示す：
【化４】
2007517923.tif 000004
【請求項５】
次式で表される請求項３記載のイオン伝導性コポリマー：
【化５】
2007517923.tif 000005
式中、ａは０．０５〜０．４の数を示し、ｂは０．０１〜０．０４の数を示し、ｃは０．２〜０．９４の数を示し、Ａｒは次式で表される基を示す：
【化６】
2007517923.tif 000006
【請求項６】
ａ＝０．１３、ｂ＝０．０３６及びｃ＝０．８３４である請求項５記載のイオン伝導性コポリマー。
【請求項７】
請求項１から６いずれかに記載のイオン伝導性コポリマーを含有するポリマー電解質膜（ＰＥＭ）。
【請求項８】
請求項７記載のＰＥＭを具有する触媒被覆膜（ＣＣＭ）であって、該ＰＥＭの少なくとも１つの対置面の全部若しくは一部が触媒層を有する該触媒被覆膜。
【請求項９】
請求項８記載のＣＣＭを具有する膜電極アセンブリー（ＭＥＡ）。
【請求項１０】
請求項７記載のＭＥＡを具有する膜電極アセンブリー（ＭＥＡ）。
【請求項１１】
請求項９又は１０記載のＭＥＡを具有する燃料電池。
【請求項１２】
水素燃料電池を具有する請求項１１記載の燃料電池。
【請求項１３】
メタノール燃料電池を具有する請求項１１記載の燃料電池。
【請求項１４】
請求項１２又は１３記載の燃料電池を具備する電子装置。
【請求項１５】
請求項１２又は１３記載の燃料電池を具備する電源。
【請求項１６】
請求項１２又は１３記載の燃料電池を具備する電気モーター。
【請求項１７】
請求項１２又は１３記載の燃料電池を具備する乗り物。
【手続補正２】
【補正対象書類名】明細書
【補正対象項目名】００１６
【補正方法】変更
【補正の内容】
【００１６】
Ａｒ３及びＡｒ６は同一又は異なっていてもよく、各々下記の化学式で表される基を示す：
【化２】
2007517923.tif 000007
【手続補正３】
【補正対象書類名】明細書
【補正対象項目名】００３８
【補正方法】変更
【補正の内容】
【００３８】
【化１０】
2007517923.tif 000008
【手続補正４】
【補正対象書類名】明細書
【補正対象項目名】００５０
【補正方法】変更
【補正の内容】
【００５０】
Ａｒ３モノマーは相互に同一又は異なっていてもよく、下記の化学式で表される基を示す：
【化１５】
2007517923.tif 000009
この場合、Ａｒ６モノマーは相互に同一又は異なっていてもよく、下記の化学式で表される基を示す：
【化１６】
2007517923.tif 000010
【手続補正書】
【提出日】平成20年1月29日(2008.1.29)
【手続補正１】
【補正対象書類名】特許請求の範囲
【補正対象項目名】請求項１
【補正方法】変更
【補正の内容】
【請求項１】
炭素結合した耐火性生成物を、耐火性粒状物及び有機結合剤から製造する方法であって、ベンゾ［ａ］ピレン含有量５００ｍｇ／ｋｇ未満、及び、ＤＩＮ５１９０５によるコークス化値少なくとも約８０重量％を有するグラファイト化可能な粉末状のコールタールピッチと、ＤＩＮ５１９０５によるコークス化値少なくとも約１５重量％、及び、ベンゾ［ａ］ピレン含有量５００ｍｇ／ｋｇ未満を有する室温で液体のグラファイト化可能な結合剤とを、有機結合剤として使用し、残りの成分と混合し、成形体に変えて、そして、次に、１５０〜約４００℃の温度で熱処理することを特徴とする、前記方法。
【手続補正２】
【補正対象書類名】明細書
【補正対象項目名】００１８
【補正方法】変更
【補正の内容】
【００１８】
この目的は、炭素結合した耐火性生成物を、耐火性粒状物及び有機結合剤から製造する方法であって、ベンゾ［ａ］ピレン含有量５００ｍｇ／ｋｇ未満、及び、ＤＩＮ５１９０５によるコークス化値少なくとも約８０重量％を有するグラファイト化可能な粉末状のコールタールピッチと、ＤＩＮ５１９０５によるコークス化値少なくとも約１５重量％、及び、ベンゾ［ａ］ピレン含有量５００ｍｇ／ｋｇ未満を有する室温で液体のグラファイト化可能な結合剤とを、有機結合剤として使用し、残りの成分と混合し、成形体に変えて、そして、次に、１５０〜約４００℃の温度で熱処理する前記方法によって達成することができる。
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
全内容積を定める非球形のタンクと、実質的に平面的で実質的に水平な上方面を提示するデッキとを含み、前記タンクは、少なくとも３つの上向きに収束する壁を含み、それらの間に前記全内容積の少なくとも約１０％を定め、前記デッキの前記上方面は、前記収束する壁の下方縁部の上で前記タンクの前記収束する壁と交差する実質的に水平な平面を定め、前記収束する壁は、一対の対向し横方向に離間した収束する側壁を含み、前記側壁のそれぞれは、水平から約３０度〜約６０度の範囲の角度で上向きに延びる、船。
【請求項２】
全内容積を定める非球形のタンクを含み、該タンクは、少なくとも３つの上向きに収束する壁を含み、それらの間に前記全内容積の少なくとも約１０％を定め、前記収束する壁は、一対の対向し横方向に離間した収束する側壁を含み、前記側壁のそれぞれは、水平から少なくとも約２０度の角度で上向きに延び、前記側壁のそれぞれは、前縁部及び後縁部を提示し、前記収束する壁は、前記側壁の前記前縁部の間に延びる前壁を含み、前記前壁は、水平から少なくとも約１０度の角度で上向きに延び、前記タンクは、前記側壁の前記後縁部の間に延びる後壁を含み、該後壁は、水平から少なくとも約１０度の角度で上向きに延び、前記後壁は実質的に垂直に延びる、船。
【請求項３】
液体を輸送するためのタンカー船であって、前記液体を収容し且つ保持するための内容積を内部に定めるタンクと、実質的に平面的で実質的に水平な上方面を提示するデッキとを含み、前記内容積は、一対の横方向に離間した上向きに収束する側面を提示し、該側面のそれぞれは、上方縁部と、下方縁部とを提示し、前記内容積は、前記上方縁部の間に延びる頂面を含み、前記上方縁部及び前記下方縁部は、前記下方縁部の間の最大横方向距離の少なくとも２０％である最小垂直距離だけ互いに垂直に離間し、前記内容積は、前記側面と上向きに収束する第三の面を含み、前記デッキの前記上方面は、前記側面の前記下方縁部の上で前記側面と交差する実質的に水平な平面を定める、タンカー船。
【請求項４】
ＬＮＧを輸送するためのタンカー船であって、複数の個々のタンクと、露出された実質的に水平な上方面を提示する構造デッキとを含み、前記タンクのそれぞれは、大量のＬＮＧを収容し且つ保持するための全内容積をその内部に定め、前記タンクのそれぞれは、前記全内容積の上方部をそれらの間に定める少なくとも３つの収束する壁を含み、前記上方部は、前記収束する側壁によって定められる少なくとも３つの実質的に平面的な面を提示し、前記全内容積の前記上方部は、前記全内容積の約２０〜約４０％の範囲内にある容積を有し、前記全内容積の前記上方部の少なくとも一部は、前記デッキより上に延び、前記デッキの前記上方面は、前記側面の前記下方縁部の上で前記タンクの前記収束する壁と交差する実質的に水平な平面を定める、タンカー船。
【請求項５】
全内容積を定める非球形のタンクと、
実質的に平面的で実質的に水平な上方面を提示するデッキとを含み、
前記タンクは、少なくとも３つの上向きに収束する壁を含み、それぞれ下方縁部と上方縁部とを含み、
前記デッキの前記上方面は、前記収束する壁の下方縁部の上で前記タンクの前記収束する壁と交差する実質的に水平な平面を定め、
前記タンクは、当該船の船体と接触して横方向に支持される一対の下方側壁を含む、
船。
【請求項６】
液体を輸送するためのタンカー船であって、当該タンカー船は、
一対の横方向に離間した上向きに収束する側壁を含むプリズム状タンクと、
前記上向きに収束する側壁と上向きに収束する第三の壁と、
実質的に平坦で水平な上方面を提示するデッキとを含み、
前記一対の横方向に離間した上向きに収束する側壁と前記第三の上向きに収束する壁とは、それぞれ下方縁部を含み、
前記デッキの前記上方面は、前記収束する壁の前記下方縁部の上で前記タンクの前記収束する壁と交差する実質的に水平な平面を定め、
前記タンクは、当該タンカー船の船体と接触して横方向に支持される一対の下方側壁を含む、
タンカー船。
【請求項７】
全内容積を定める非球形のタンクと、
実質的に平面的で実質的に水平な上方面を提示するデッキとを含み、
前記タンクは、少なくとも３つの上向きに収束する壁を含み、それぞれ下方縁部と上方縁部とを含み、
前記デッキの前記上方面は、前記収束する壁の下方縁部の上で前記タンクの前記収束する壁と交差する実質的に水平な平面を定める、
船。
【請求項８】
液体を輸送するためのタンカー船であって、
前記液体を収容し且つ保持するために内容積をその内部に定めるタンクを含み、
前記内容積は、一対の横方向に離間した上向きに収束する側面を提示し、
該側面のそれぞれは、上方縁部と、下方縁部とを提示し、
前記内容積は、前記上方縁部の間に延びる頂面を含み、
前記内容積は、一対の実質的に垂直な前端面及び後端面を提示し、
前記内容積は、垂直から約１５〜約７５度の範囲内の角度で前記前端面及び前記後端面からそれぞれ前記頂面に延びる、前面取り面及び後面取り面を提示する、
タンカー船。
【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
ヒト被験者のある組織の交感神経支配域を造影する方法であって、
（ｉ）放射性ヨウ素化ｍＩＢＧによるインビボ造影、
（ｉｉ）三環系抗うつ薬の投与、
（ｉｉｉ）段階（ｉ）の繰返し、及び
（ｉｖ）段階（ｉ）及び（ｉｉｉ）で得られる画像の比較
を含んでなる方法。
【請求項２】
前記組織が心筋であり、前記交感神経支配域が心臓神経伝達である、請求項１記載の方法。
【請求項３】
ヒト被験者の心臓神経伝達を検査する方法であって、
（ｉ）非治療用量の三環系抗うつ薬の被験者への投与、
（ｉｉ）インビボ造影に適した量の放射性ヨウ素化ｍＩＢＧによる被験者のインビボ造影、及び
（ｉｉｉ）被験者のインビボ造影
を含んでなる方法。
【請求項４】
前記心臓神経伝達の検査が、ヒト被験者の心臓神経障害の状態を調べるために行われる、請求項２又は請求項３記載の方法。
【請求項５】
前記心臓神経障害が、
（ｉ）自律神経障害、
（ｉｉ）心臓移植、又は
（ｉｉｉ）特発性心室頻拍及び細動
に関連した原発性心臓神経障害である、請求項４記載の方法。
【請求項６】
前記心臓神経障害が、
（ｉ）拡張型心筋症、
（ｉｉ）冠動脈疾患、
（ｉｉｉ）肥大型心筋症、
（ｉｖ）催不整脈性右室心筋症、
（ｖ）糖尿病、
（ｖｉ）高血圧、又は
（ｖｉｉ）薬物性心毒性
に関連した続発性心臓神経障害である、請求項４記載の方法。
【請求項７】
前記三環系抗うつ薬が、デシプラミン、アミトリプタリン及びイミプラミンから選択される、請求項１乃至請求項６のいずれか１項記載の方法。
【請求項８】
前記三環系抗うつ薬がアミトリプタリンであって１０〜５０ｍｇの用量で投与される、請求項７記載の方法。
【請求項９】
前記放射性ヨウ素化ｍＩＢＧが123Ｉ−ｍＩＢＧである、請求項１乃至請求項８のいずれか１項記載の方法。
【請求項１０】
前記インビボ造影が、ＳＰＥＣＴ又はＰＥＴで実施される外部造影である、請求項１乃至請求項９のいずれか１項記載の方法。
【請求項１１】
前記外部造影がＳＰＥＣＴで実施される、請求項１０記載の方法。
【請求項１２】
請求項１乃至請求項１１のいずれか１項記載の方法に使用するためのキットであって、
（ｉ）三環系抗うつ薬、及び
（ｉｉ）インビボ造影段階の実施に適した形態の放射性ヨウ素化ｍＩＢＧ又はその前駆体
を含むキット。
【請求項１３】
ヒト被験者に予め投与しておいた放射性ヨウ素化ｍＩＢＧから得られるシグナルデータを用いた外部画像装置の操作方法であって、当該方法を三環系抗うつ薬の被験者への予備的投与の前後に実施し、次いで得られたシグナルデータを比較する方法。
【請求項１４】
三環系抗うつ薬の投与前後に実施し、得られた画像を比較することからなるヒト被験者の交感神経支配域のインビボ造影のための医薬品の製造における放射性ヨウ素化ｍＩＢＧの使用。
【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
ポリマー骨格、および１つ以上のヒドロキシル基で置換された芳香族基を含む側鎖または側鎖基を含む、生体接着性物質であって、ここで該ポリマー骨格におけるモノマーの少なくとも１０％が芳香族基を含む側鎖を含み、該ポリマー骨格は、室温または体温で、水に約１％（ｗ／ｗ）未満までの溶解性を有する疎水性ポリマーから形成される、生体接着性物質。
【請求項２】
前記芳香族基がカテコールである、請求項１に記載の物質。
【請求項３】
前記芳香族基がカテコールの誘導体である、請求項２に記載の物質。
【請求項４】
前記カテコールの誘導体が３，４−ジヒドロキシフェニルアラニン（ＤＯＰＡ）である、請求項３に記載の物質。
【請求項５】
前記疎水性ポリマーが、ポリ無水物、ポリアクリラート、ポリオルトエステル、ポリエステル、およびポリヒドロキシ酸からなる群より選択される、請求項１に記載の物質。
【請求項６】
前記疎水性ポリマーがポリ無水物である、請求項５に記載の物質。
【請求項７】
前記ポリマー骨格におけるモノマーの少なくとも５０％が芳香族基を含む側鎖を含む、請求項１に記載の物質。
【請求項８】
治療薬、予防薬、または診断薬をさらに含む、請求項１に記載の物質。
【請求項９】
前記治療薬がＬ−３，４−ジヒドロキシフェニルアラニン（レボドパ）である、請求項８に記載の物質。
【請求項１０】
生体接着性物質を形成するための方法であって、該方法は、室温または体温で水に約１％（ｗ／ｗ）未満までの溶解性を有する疎水性ポリマーを、１つ以上のヒドロキシル基で置換された芳香族基を含む化合物とか、または１つ以上のヒドロキシル基で置換された芳香族基を含むポリ（アミノ酸）、ペプチドもしくはタンパク質と反応させて、修飾されたポリマーを生成する工程を包含し、ここで、該修飾されたポリマーにおける該モノマーの少なくとも１０％が芳香族基を含む側鎖で置換され、該ポリ（アミノ酸）、ペプチドもしくはタンパク質が２０ｋＤａ以下の分子量を有する、方法。
【請求項１１】
前記疎水性ポリマーがアミノ反応基を含み、そして前記化合物がアミノ基を含む、請求項１０に記載の方法。
【請求項１２】
前記疎水性ポリマーが、ポリ無水物、ポリアクリラート、ポリオルトエステル、ポリエステル、およびポリヒドロキシ酸からなる群より選択される、請求項１０に記載の方法。
【請求項１３】
前記疎水性ポリマーがポリ無水物である、請求項１２に記載の方法。
【請求項１４】
前記芳香族基を含む化合物がカテコール誘導体である、請求項１０に記載の方法。
【請求項１５】
前記カテコール誘導体が３，４−ジヒドロキシフェニルアラニン（ＤＯＰＡ）である、請求項１４に記載の方法。
【請求項１６】
生体接着性物質を形成するための方法であって、該方法は、有効量のモノマーを、１つ以上のヒドロキシル基で置換された芳香族基を含む化合物とか、または１つ以上のヒドロキシル基で置換された芳香族基を含むポリ（アミノ酸）、ペプチドもしくはタンパク質と反応させる工程、および該モノマーを重合して、ポリマーを生成する工程を包含し、ここで、該ポリ（アミノ酸）、ペプチドもしくはタンパク質が２０ｋＤａ以下の分子量を有し、該ポリマーにおける該モノマーの少なくとも１０％は、該芳香族を含む側鎖で置換されている、方法。
【請求項１７】
前記モノマーがアミノ反応基を含み、そして前記化合物がアミノ基を含む、請求項１６に記載の方法。
【請求項１８】
ポリマー骨格、および１つ以上のヒドロキシル基で置換された芳香族基を含む側鎖または側鎖基を含む、生体接着性物質であって、ここで該ポリマー骨格は、疎水性ポリマーを含み、該疎水性ポリマーは、室温または体温で、水に約１％（ｗ／ｗ）未満までの溶解性を有する、生体接着性物質。
【請求項１９】
前記芳香族基がカテコールである、請求項１８に記載の物質。
【請求項２０】
前記芳香族基がカテコールの誘導体である、請求項２１に記載の物質。
【請求項２１】
前記カテコールの誘導体が３，４−ジヒドロキシフェニルアラニン（ＤＯＰＡ）である、請求項２０に記載の物質。
【請求項２２】
前記疎水性ポリマーが、ポリ無水物、ポリアクリラート、ポリオルトエステル、ポリエステル、およびポリヒドロキシ酸からなる群より選択される、請求項１８に記載の物質。
【請求項２３】
前記疎水性ポリマーがポリ無水物である、請求項２２に記載の物質。
【請求項２４】
治療薬、予防薬、または診断薬をさらに含む、請求項１８に記載の物質。
【請求項２５】
前記治療薬がＬ−３，４−ジヒドロキシフェニルアラニン（レボドパ）である、請求項２４に記載の物質。
【請求項２６】
生体接着性物質を形成するための方法であって、該方法は、室温または体温で、水に約１％（ｗ／ｗ）未満までの溶解性を有する疎水性モノマーを、１つ以上のヒドロキシル基で置換された芳香族基を含む有効量の化合物とか、または１つ以上のヒドロキシル基で置換された芳香族基を含むポリ（アミノ酸）、ペプチドもしくはタンパク質と反応させる工程を包含し、ここで該ポリ（アミノ酸）、ペプチドもしくはタンパク質が２０ｋＤａ以下の分子量を有する、方法。
【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
MgCl2、エタノールおよび水ではないルイス塩基(LB)を含む付加物であって、該付加物が式MgCl2・(EtOH)n(LB)p（ここで、nは2〜6であり、pは次の式p/(n+p)＝0.1を満足する値を有する）で定義されるモル比で存在する付加物。
【請求項２】
LBがエーテル、エステルおよび式RXm（ここで、Rは1〜20の炭素原子を有する炭化水素基であり、Xは-NH2、-NHRまたは-OH基であり、mは1以上である）の化合物から選択される、請求項１に記載の付加物。
【請求項３】
化合物RXmがメタノール、プロパノール、イソプロパノール、n-ブタノール、sec-ブタノール、tert-ブタノール、ペンタノール、2-メチル-1-ペンタノール、2-エチル-1-ヘキサノール、フェノール、4-メチル-1-フェノール、2,6-ジメチル-1-フェノール、シクロヘキサノール、シクロペンタノール、エチレングリコール、プロピレングリコール、1,4-ブタンジオール、グリセリン、マンニトール、ポリビニルアルコール、エチレンジアミン、トリエタノールアミン、トリエチルアミン、ジイソプロピルアミンからなる群から選択される、請求項２に記載の付加物。
【請求項４】
遷移金属化合物と請求項１〜３のいずれか一つに記載の付加物との反応生成物を含む、オレフィンの重合用触媒成分。
【請求項５】
請求項４に記載の触媒成分を含む触媒系の存在下に行われる、式CH2=CHR（ここで、Rは水素または1〜12の炭素原子を有する炭化水素基である）のオレフィンの重合方法。
【手続補正２】
【補正対象書類名】明細書
【補正対象項目名】０００９
【補正方法】変更
【補正の内容】
【０００９】
それゆえ、本発明は、MgCl2、エタノールおよび水ではないルイス塩基(LB)を含む付加物であって、該付加物が次の式MgCl2・(EtOH)n(LB)p（ここで、nは2〜6であり、pは次の式p/(n+p)≦0.1を満足する値を有する）で定義されるモル比で存在する付加物に関する。
好ましくは、pは次の式p/(n+p)≦0.05、より好ましくはp/(n+p)≦0.0125を満足する値を有する。
【手続補正３】
【補正対象書類名】明細書
【補正対象項目名】００１２
【補正方法】変更
【補正の内容】
【００１２】
式RXmの化合物の代表例は、メタノール、プロパノール、イソプロパノール、n-ブタノール、i-ブタノール、sec-ブタノール、tert-ブタノール、ペンタノール、2-メチル-1-ペンタノール、2-エチル-1-ヘキサノール、フェノール、4-メチル-1-フェノール、2,6-ジメチル-1-フェノール、シクロヘキサノール、シクロペンタノール、エチレングリコール、プロピレングリコール、1,4-ブタンジオール、グリセリン、マンニトール、ポリビニル-アルコール、エチレンジアミン、トリエタノールアミン、トリエチルアミン、ジイソプロピルアミンである。
【手続補正４】
【補正対象書類名】明細書
【補正対象項目名】００１３
【補正方法】変更
【補正の内容】
【００１３】
他のルイス塩基の具体例は、酢酸類、アセトニトリル、ホルムアルデヒド、アセトアミド、ホルムアミド、3-ピコリンである。
一般的に、該付加物に付随した融解エンタルピーは100 J/gより低く、最も好ましくは85〜95 J/gの範囲である。上記のように、これらの値は付加物の製造から2日以内に測定されたものである。しかしながら、本出願人は、本発明の付加物が、時間とともに増加する融解エンタルピーのより低い傾向を有することに気づいた。例えば、この増加は一週間後に全然ないか、わずか2〜4 J/gに限定され得る。
【手続補正５】
【補正対象書類名】明細書
【補正対象項目名】００４２
【補正方法】変更
【補正の内容】
【００４２】
比較例1
ブタノールを用いない以外は、実施例1の方法が繰り返された。組成物分析は、その付加物が55.1重量%のEtOHを含むことを示した。DSCプロファイルは、102 J/gの会合融解エンタルピーと共に、109℃にピークを示した。一般的な方法により製造された触媒成分は、上記の一般的な重合方法により試験され、表1に示された結果を与えた。
【表１】
2007517784.tif 000001
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
赤ブドウの葉の水性抽出物（1）及び利尿剤（2）を薬理学的活性物質として含む、脚の軽度から中度の慢性静脈不全（CVI）の予防及び/又は軽減のための、組成物。
【請求項２】
少なくとも4%の全ポリフェノール及び少なくとも0.2%のアントシアンを含む乾燥した赤ブドウの葉から精製水を用いる抽出によって得られる赤ブドウの葉の水性抽出物（1）を含む、請求項１記載の組成物。
【請求項３】
50〜1000mgの赤ブドウの葉の乾燥した水性抽出物（1）を含む、請求項１又は２記載の組成物。
【請求項４】
64〜800mgの赤ブドウの葉の乾燥した水性抽出物（1）を含む、請求項３記載の組成物。
【請求項５】
360mg又は450mgの赤ブドウの葉の乾燥した水性抽出物（1）を含む、請求項３記載の組成物。
【請求項６】
前記赤ブドウの葉の乾燥した水性抽出物（1）において、0.625〜25質量%のフラボノイドを含む、請求項１〜５のいずれか１項に記載の組成物。
【請求項７】
前記赤ブドウの葉の乾燥した水性抽出物（1）において、2.5〜10質量%のフラボノイドを含む、請求項６記載の組成物。
【請求項８】
赤ブドウの葉の乾燥した水性抽出物（1）及び賦形剤を含む、請求項１〜７のいずれか１項に記載の組成物。
【請求項９】
70〜90質量%の赤ブドウの葉の乾燥した抽出物（1）、及び10〜30質量%の賦形剤を含む、請求項１〜８のいずれか１項に記載の組成物。
【請求項１０】
75〜85質量%の赤ブドウの葉の乾燥した抽出物（1）を含む、請求項９記載の組成物。
【請求項１１】
10〜20質量%の賦形剤を含む、請求項９記載の組成物。
【請求項１２】
2〜5質量%の二酸化ケイ素、及び10〜20質量%のグルコースシロップを含む、請求項１〜１１のいずれか１項に記載の組成物。
【請求項１３】
前記利尿剤（2）が、アミノフィリン、カフェイン、ビタミンB6、利尿剤を含む草本及び生薬、及び利尿有効性無機物、又はそれらの混合物からなる群から選択される、請求項１〜１２のいずれか１項に記載の組成物。
【請求項１４】
1〜18000mgの1種以上の利尿剤（2）を含む、請求項１〜１３のいずれか１項に記載の組成物。
【請求項１５】
赤ブドウの葉の乾燥した水性抽出物（1）と利尿剤（2）との質量比が、1:1000〜1000:1である、請求項１〜１４のいずれか１項に記載の組成物。
【請求項１６】
腸管外的な投与に好適である、請求項１〜１５のいずれか１項に記載の組成物。
【請求項１７】
経口的な投与に好適である、請求項１６記載の組成物。
【請求項１８】
脚の軽度から中度の慢性静脈不全（CVI）の予防及び/又は軽減のための医薬製品又は健康食品の調製のための、請求項１〜１７のいずれか１項に記載の組成物の使用。
【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
うつ病又はうつ病をもたらす状態の治療で使用するための薬剤の製造のためのヒドロコルチゾン及び送達ビヒクルを含む経口投与に適した複合組成物の使用であって、該送達ビヒクルは、ヒドロコルチゾンの遅延及び持続放出を提供して、コルチゾールの概日リズムをリセット及び再同調させる、複合組成物の使用。
【請求項２】
前記状態が、睡眠障害、疲労、異常摂食、嗜癖、不安、時差ぼけ慢性疲労症候群、筋痛性脳炎、時差ぼけ、過重量の人に起因するうつ病、ダイエットに起因するうつ病、たばこ嗜癖の治療に起因するうつ病、アルコール嗜癖の治療に起因するうつ病、薬物嗜癖の治療に起因するうつ病、季節性感情障害又は同等の状態から成る群から選択される、請求項１に記載の複合組成物の使用。
【請求項３】
前記うつ病が臨床的うつ病である、請求項１に記載の複合組成物の使用。
【請求項４】
前記うつ病は、反応性うつ病である、請求項１に記載の複合組成物の使用。
【請求項５】
前記うつ病が産後うつ病である、請求項１に記載の複合組成物の使用。
【請求項６】
前記状態が抗精神病薬の投与に起因する、請求項１に記載の複合組成物の使用。
【請求項７】
前記抗精神病薬がクロザピン、オランザピン、リスペリドン、クエチアピン又はセルチンドールから成る群から選択される、請求項６に記載の複合組成物の使用。
【請求項８】
前記遅延及び持続放出配合物は、１８：００〜２４：００に投与される、請求項１〜７のいずれか１項に記載の複合組成物の使用。
【請求項９】
ヒドロコルチゾンが投与されて、内因性コルチゾールの上昇をスイッチオフにする、請求項８に記載の複合組成物の使用。
【請求項１０】
前記薬剤がカプセルまたは錠剤である、請求項１〜９のいずれか１項に記載の複合組成物の使用。
【手続補正２】
【補正対象書類名】明細書
【補正対象項目名】００６０
【補正方法】変更
【補正の内容】
【００６０】
【図１】動物におけるコルチゾール調節の概略図を表す図である。
【図２】動物におけるコルチゾールの正常な概日リズムを表す図である。
【図３】２４時間中に３度、ヒドロコルチゾンを摂取する患者におけるコルチゾールプロフィールを表す図である。
【図４】ヒドロコルチゾンの持続放出組成物、並びに持続及び遅延放出組成物を摂取する患者におけるコルチゾールプロフィールを表す図である。
【図５】正常な個体におけるＡＣＴＨ及びコルチゾール放出を示す図である。
【図６】正常な個体及び抑うつ状態の個体におけるコルチゾール分泌プロフィールを示す図である。
【図７】内因性コルチゾールレベルに対する遅延型及び持続性ヒドロコルチゾンの影響を示す図である。
【手続補正書】
【提出日】平成20年3月7日(2008.3.7)
【手続補正１】
【補正対象書類名】明細書
【補正対象項目名】特許請求の範囲
【補正方法】変更
【補正の内容】
【特許請求の範囲】
【請求項１】  患者の病理学的状態の原因である遺伝子または病理学的状態自体が患者に存在することを検出する方法であって、患者からの少なくとも１本の毛を繊維Ｘ線回折にさらすステップと、該遺伝子または病理学的状態が患者に存在することを示す、毛の超微細構造の変化を検出するステップとを有し、該病理学的状態が（ａ）毛の超微細構造に変化を生じるがん、または（ｂ）  アルツハイマー病であることを特徴とする方法。
【請求項２】  病理学的状態が乳がんである、請求項１に記載の方法。
【請求項３】  毛を患者の頭皮または恥骨領域から採取する、請求項２に記載の方法。
【請求項４】  毛を蒸留水で洗浄し、そしてＸ線にさらすステップの前に乾燥する、請求項２に記載の方法。
【請求項５】  Ｘ線回折が低角度シンクロトロン設備を用いて行われる、請求項２に記載の方法。
【請求項６】  Ｘ線回折が約０．１５ｍｍの波長を持つX線を用いて行われる、請求項２に記載の方法。
【請求項７】  毛を、約５秒から約５分の期間Ｘ線にさらす、請求項２に記載の方法。
【請求項８】  Ｘ線にさらす時間が約６０秒である、請求項７に記載の方法。
【請求項９】  病理学的状態が前立腺がんまたはアルツハイマー病である、請求項１に記載の方法。
【請求項１０】  Ｘ線回折が、５〜２５ｋｅＶの間のエネルギーを持つシンクロトロン放射または他の単色Ｘ線源から取り出されるX線を用いて行うものである、請求項９に記載の方法。
【請求項１１】  ０．０６〜０．２０ｎｍの間の波長を持つ単色Ｘ線を使用する、請求項１０に記載の方法。
【請求項１２】  低角度シンクロトロン設備から発せられるシンクロトロン放射を使用する、請求項９に記載の方法。
【請求項１３】  毛を患者の頭皮または恥骨領域から採取する、請求項９に記載の方法。
【請求項１４】  毛を蒸留水で洗浄し、乾燥し、ビームの方向に垂直に配置し、Ｘ線にさらすステップ中ぴんと張った状態に保持する、請求項９に記載の方法。
【請求項１５】  毛を、第三または第二世代のシンクロトロンからのX線に、それぞれ約２０秒または６０秒の期間さらす、請求項９に記載の方法。
【請求項１６】  毛を、約５秒から約５週の期間Ｘ線にさらす、請求項９に記載の方法。
【請求項１７】  病理学的状態が前立腺がんである、請求項９に記載の方法。
【請求項１８】  病理学的状態がアルツハイマー病である、請求項９に記載の方法。
【誤訳訂正書】
【提出日】平成20年6月18日(2008.6.18)
【誤訳訂正１】
【訂正対象書類名】明細書
【訂正対象項目名】特許請求の範囲
【訂正方法】変更
【訂正の内容】
【特許請求の範囲】
【請求項１】
バット、ウェブ、バットの一部、及びウェブの一部から構成される群から選ばれる１種以上の材料から成り、その材料が１回以上細断されてランダムな形状をとり吹き飛ばし可能なクラスターになっている、吹き飛ばし可能な断熱材材料であって、そのクラスターが、繊維間の複数の接触点で相互に結合し合ったランダムな形状の繊維から構成され、当該吹き飛ばし可能な断熱材材料は、前記クラスターと、吹き飛ばし可能な天然の断熱材材料との混合物の形態である、吹き飛ばし可能な断熱材材料。
【請求項２】
前記天然の材料が、羽毛、ウール、絹および綿より成る群から選ばれる１種以上から成る、請求項１に記載の吹き飛ばし可能な断熱材材料。
【請求項３】
前記クラスターが、前記混合物の５０％未満である、請求項１に記載の吹き飛ばし可能な断熱材材料。
【請求項４】
前記クラスターが、前記混合物の４５〜７５重量％である、請求項１に記載の吹き飛ばし可能な断熱材材料。
【請求項５】
開繊された撥水性合成繊維、潤滑性仕上げ合成繊維および乾燥合成繊維より成る群から選ばれる１種以上の材料が更に配合されている、請求項１に記載の吹き飛ばし可能な断熱材材料。
【請求項６】
前記乾燥繊維が乾燥ポリエステルであり、前記撥水性繊維または潤滑性仕上げ繊維がシリコーン処理したポリエステルである、請求項５に記載の吹き飛ばし可能な断熱材材料。
【請求項７】
前記天然の材料が、羽毛、ウール、絹および綿より成る群から選ばれる１種以上から成る、請求項５に記載の吹き飛ばし可能な断熱材材料。
【手続補正書】
【提出日】平成20年4月1日(2008.4.1)
【手続補正１】
【補正対象書類名】明細書
【補正対象項目名】特許請求の範囲
【補正方法】変更
【補正の内容】
【特許請求の範囲】
【請求項１】
（ａ）六方晶系構造を有するＳｉＣ基板のオフカット面上で成長させたエピタキシャルＳｉＣ膜であって、該オフカット面が約６〜約１０°のオフカット角度を有し、該オフカット面の結晶方向が該基板の６つの等価な＜１−１００＞方向±７．５°のうちの１つの方向に向けて（０００１）面からオフカットされているエピタキシャルＳｉＣ膜であり、該エピタキシャルＳｉＣ膜が、前記膜のエッジから少なくとも３ミリメートルに配された内部領域内に、２０×２０μｍ２領域に約２ナノメートルを超えない二乗平均粗さを有する平滑面形態を有するデバイス品質のＳｉＣ膜を含む、エピタキシャルＳｉＣ膜と、
（ｂ）前記エピタキシャルＳｉＣ膜上に意図的に形成された酸化物層と、を含む、
構造体。
【請求項２】
前記酸化物層が、約３の平均配位数を有する、請求項１に記載の構造体。
【請求項３】
前記酸化物層が、前記エピタキシャルＳｉＣ膜上に堆積される、請求項１又は２に記載の構造体。
【請求項４】
前記ＳｉＣ基板が４Ｈ−ＳｉＣを含む、請求項１ないし３のいずれか一項に記載の構造体。
【請求項５】
前記ＳｉＣ基板が６Ｈ−ＳｉＣを含む、請求項１ないし３のいずれか一項に記載の構造体。
【請求項６】
前記エピタキシャルＳｉＣ膜が、前記膜のエッジから少なくとも３ミリメートルに配された内部領域内に、前記２０×２０μｍ２領域に１ナノメートル未満の二乗平均粗さを有する、請求項１ないし５のいずれか一項に記載の構造体。
【請求項７】
前記エピタキシャルＳｉＣ膜の前記オフカット角度が約７〜約９°である、請求項１ないし６のいずれか一項に記載の構造体。
【請求項８】
前記エピタキシャルＳｉＣ膜の前記オフカット角度が約８°である、請求項１ないし６のいずれか一項に記載の構造体。
【請求項９】
前記エピタキシャルＳｉＣ膜の前記オフカット方向が前記６つの等価な＜１−１００＞方向±５°のうちの１つの方向を向いている、請求項１ないし８のいずれか一項に記載の構造体。
【請求項１０】
前記エピタキシャルＳｉＣ膜の前記オフカット方向が前記６つの等価な＜１−１００＞方向±２．５°のうちの１つの方向を向いている、請求項１ないし８のいずれか一項に記載の構造体。
【請求項１１】
前記エピタキシャルＳｉＣ膜はｎ型ドーパント種でドープされている、請求項１ないし１０のいずれか一項に記載の構造体。
【請求項１２】
前記エピタキシャルＳｉＣ膜はｐ型ドーパント種でドープされている、請求項１ないし１１のいずれか一項に記載の構造体。
【請求項１３】
前記エピタキシャルＳｉＣ膜はｎ形ドーパント種及びｐ型ドーパント種でドープされている、請求項１ないし１２のいずれか一項に記載の構造体。
【請求項１４】
前記エピタキシャルＳｉＣ膜が約１×１０１３〜約１×１０２１原子・ｃｍ−３のドーパント濃度のドーパント種でドープされている、請求項１ないし１３のいずれか一項に記載の構造体。
【請求項１５】
前記エピタキシャルＳｉＣ膜が約１×１０１８〜約１×１０２１原子・ｃｍ−３のドーパント濃度のドーパント種でドープされている、請求項１ないし１３のいずれか一項に記載の構造体。
【請求項１６】
前記ＳｉＣ基板を更に含む、請求項１ないし１５のいずれか一項に記載の構造体。
【請求項１７】
請求項１ないし１６のいずれか一項に記載の構造体の少なくとも一部を含むマイクロエレクトロニクスデバイス前駆構造体。
【請求項１８】
ショットキーダイオード、ｐ−ｎダイオード、フォトダイオード、発光ダイオード、スイッチングデバイス、電界効果トランジスタ、モノリシックオペアンプチップ、ディジタル論理ゲート、ラッチ回路、２進カウンタ回路、半加算器回路、不揮発性ランダムアクセスメモリデバイス、及びディジタル集積回路のうちのいずれかにおいて具体化される、請求項１ないし１６のいずれか一項に記載の構造体の少なくとも一部を含むマイクロエレクトロニクスデバイス。
【請求項１９】
ＭＯＳＦＥＴにおいて具体化される、請求項１ないし１６のいずれか一項に記載の構造体の少なくとも一部を含むマイクロエレクトロニクスデバイス。
【請求項２０】
ショットキーダイオードにおいて具体化される、請求項１ないし１６のいずれか一項に記載の構造体の少なくとも一部を含むマイクロエレクトロニクスデバイス。
【請求項２１】
ｐ−ｎダイオードにおいて具現化される、請求項１ないし１６のいずれか一項に記載の構造体の少なくとも一部を含むマイクロエレクトロニクスデバイス。
【請求項２２】
エピタキシャルＳｉＣ膜と酸化物層とを含むデバイス品質の構造体を形成する方法であって、六方晶系結晶形態の炭化ケイ素基板上に大気圧未満の圧力条件で該膜を堆積させ、該基板が該基板の＜１−１００＞結晶方向に向けて（０００１）面からオフカットされており、該炭化ケイ素エピタキシャル膜が、前記膜のエッジから少なくとも３ミリメートルに配された内部領域内に平滑面形態を有しかつ２０×２０μｍ２領域に約２ナノメートルを超えない二乗平均粗さを有するステップと、
前記エピタキシャルＳｉＣ膜上に酸化物層を形成するステップと、を含む方法。
【請求項２３】
前記形成するステップが、前記エピタキシャルＳｉＣ膜上前記酸化物層を堆積させることを含む、請求項２２に記載の方法。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
注入点より下流の血管内の流速の変化を測定する工程を備える血管内への目的とする物質注入中の管外遊出を検出する方法。
【請求項２】
少なくとも１つの検出素子が血管上に位置するように、検出素子のアレイが前記注入点より下流に血管の流れの方向に対して交差するように設けられる請求項１記載の方法。
【請求項３】
前記注入点より下流に位置し、血管に沿って離間した複数の位置で血管内の流速を測定する請求項１または請求項２記載の方法。
【請求項４】
前記注入は造影剤の静脈注入である請求項１乃至請求項３記載の方法。
【請求項５】
施術中、流速の変化を継続、または繰り返し監視する請求項１乃至請求４記載の方法。
【請求項６】
管外遊出が起こったことを知らせる工程を更に備える請求項１乃至請求項５記載の方法。
【請求項７】
管外遊出の検出に応答して、注入を自動的に停止する工程を更に備える請求項１乃至請求項６記載の方法。
【請求項８】
注入点より下流の血管内の流速の変化を測定する検出器を備え、管外遊出が起きたときに出力信号を供給する、血管内への目的とする物質注入中の管外遊出を検出する装置。
【請求項９】
前記検出器は検出素子のアレイを備え、前記検出素子のアレイは、少なくとも１つの検出素子が血管上に位置するように、前記注入点より下流に血管の流れの方向に対して交差するように設けられる請求項８記載の装置。
【請求項１０】
前記検出素子は前記注入点より下流に位置し、血管に沿って離間した複数の位置で血管内の流速を測定する請求項８または請求項９記載の装置。
【請求項１１】
前記出力信号はアラームなどの通知である請求項８乃至請求項１０記載の装置。
【請求項１２】
前記出力信号は注入を制御する制御信号である請求項８乃至請求項１０記載の装置。
【請求項１３】
前記検出器は超音波ドップラープローブである請求項８乃至請求項１２記載の装置または請求項１乃至請求項７記載の方法。
【請求項１４】
前記検出素子は超音波変換素子である請求項２記載の方法または請求項９記載の装置。
【請求項１５】
血管内に物質を注入する注入ポンプと、前記注入ポンプを制御する請求項８乃至請求項１４記載の管外遊出検出器を備える注入システム。
【請求項１６】
添付図面の図１と図４と図５を参照して説明した管外遊出検出方法。
【請求項１７】
添付図面の図２と図４と図５を参照して説明した管外遊出検出方法。
【請求項１８】
添付図面の図３と図４と図５を参照して説明した管外遊出検出方法。
【請求項１９】
添付図面の図１と図４と図５を参照して説明した管外遊出検出装置。
【請求項２０】
添付図面の図２と図４と図５を参照して説明した管外遊出検出装置。
【請求項２１】
添付図面の図３と図４と図５を参照して説明した管外遊出検出装置。
【請求項２２】
添付図面の図１と図４と図５を参照して説明した注入システム。
【請求項２３】
添付図面の図２と図４と図５を参照して説明した注入システム。
【請求項２４】
添付図面の図３と図４と図５を参照して説明した注入システム。
【請求項２５】
前記管外遊出は、目的とする注入を開始した後に流速が上昇しないことによって示されることを特徴とする請求項１に記載の方法。
【請求項２６】
前記装置は、目的とする注入を開始した後に流速が上昇しない場合の出力信号を提供するように構成されていることを特徴とする請求項８に記載の装置。
【誤訳訂正書】
【提出日】平成20年7月8日(2008.7.8)
【誤訳訂正１】
【訂正対象書類名】明細書
【訂正対象項目名】０００６
【訂正方法】変更
【訂正の内容】
【０００６】
図１乃至図１０は、本発明の数々の具現化例の内の一例を実証するウェブに基づく接触センタ・システム（「ＣＣＳ」）に対するウェブ・ページを示す。図１は、ＣＣＳユーザが接触センタ・システム・ポータルに入ることができるウェブ・ページである。ＣＣＳを保全して顧客接触センタ支援任務を支援すべく必要な全てのシステムへの多数のログイン・プロセスを統合すべく、ユーザは自身のユーザネーム１０５及びパスワード１１０を求められて促される。この記載の全てにわたって、ＣＣＳは主に接触センタにおける代表者に向けられているので、用語としての代表者及びユーザは同義語として使用されている。しかしながらシステムの特定の局面は接触センタにおけるオーサリング、レビューイング、並びに、パブリッシング（発行）のコンテンツを含むので、用語ユーザもこれらタスクを実行する人々を言及している。
【誤訳訂正２】
【訂正対象書類名】明細書
【訂正対象項目名】００３７
【訂正方法】変更
【訂正の内容】
【００３７】
最後に、そのアイテムを見て承認することを委ねられた人が、任務日付、書き込み日付、発行日付、満了日付（２７３５乃至２７５５）等のマイルストーン日付と共に選択される。これら日付はコンテンツ・アイテムの発行に向かう様々なステップに対する期限として使用される。
【誤訳訂正３】
【訂正対象書類名】明細書
【訂正対象項目名】００３８
【訂正方法】変更
【訂正の内容】
【００３８】
先行するシステムにおいて、作成者、管理者、或は、発行者は新コンテンツ・アイテムを構築するために使用されるべき複数のテンプレートから成る適切な集合を手動的に選択することが要求される。例えば、もしユーザが新製品に対するコンテンツを生成することを欲すれば、特性テンプレート、セールスポイント・テンプレート、重要特徴テンプレート、並びに、写真テンプレートが完成されるべく全て必要となり得る。もしこれらテンプレートの内の１つ或はそれ以上が生成されなければ、そのアイテムはＣＣＳにうまく発行されないか、ンテンツ・アイテムが検索され際にＣＣＳユーザは紛失データに直面することになる。例えば、ＣＣＳユーザは製品或はサービスがサーチされるときには常に重要なセールスポイントを見ることになる。もしそのテンプレートが各新製品に対するコンテンツの作成に含まれていなければ、それは常には表示されない。これは混迷と紛失情報とを創り出した。
【誤訳訂正４】
【訂正対象書類名】明細書
【訂正対象項目名】００４７
【訂正方法】変更
【訂正の内容】
【００４７】
エンドユーザによって見られるクイズは、質問及びラジオボタンを含むウェブ・ページ形態から構成され得る。データベースに記憶されたクイズ質問、正しい応答、正しくない応答、フィードバックからＡＳＰを用いて生成され得る。クイズは、新通知等の、ＣＣＳ／ＣＭＳ内の特定コンテンツとリンクされ得る。その条項を読み終えた後、ユーザはそのクイズを取得する必要があって、それらのスコアがデータベースと通信するアクティブなサーバ・ページを用いて記録され得る。クイズは正しい応答及びフィードバックを提供すべく情報を含み得て、正しくない応答をクリックすればユーザは矯正され得るように為す。このようにして、ユーザは正しい応答について教育され得て、システムはユーザがコンテンツを理解し損なう場合をトラッキングし得る。
【誤訳訂正５】
【訂正対象書類名】明細書
【訂正対象項目名】００５３
【訂正方法】変更
【訂正の内容】
【００５３】
埋められた際、フォームは情報を収集して、そのフィールドをデータベース内に記憶し得る。フィードバック／解決策は、（もし解決策が適切であれば）その解決策を発行し得る編集者によってレビューされ得る。解決策は、一実施例において、言い換え及びレビューを許容し、且つ、品質管理を確保すべく、ウェブサイト上に自動的に発行されない（これがオプションであるが）。生成された条項は発行のために標準作業フローに向かうことができる。
【誤訳訂正６】
【訂正対象書類名】明細書
【訂正対象項目名】００８５
【訂正方法】変更
【訂正の内容】
【００８５】
（Ｃ）顧客ニーズ・サーチはユーザが特定のニーズ或は顧客の生活上のイベントとリンクされたオブジェクトを迅速に見出すことを可能としている。例えば地主は、借家人が転居する際、幾つかの手続き、サービス、並びに、製品を含む複雑な要求を有し得る。顧客ニーズ・サーチはこれらオブジェクトを寄り集める。
【手続補正書】
【提出日】平成20年3月21日(2008.3.21)
【手続補正１】
【補正対象書類名】特許請求の範囲
【補正対象項目名】請求項１２６
【補正方法】変更
【補正の内容】
【請求項１２６】
哺乳類における癌治療用組成物であることを特徴とする請求項７０から１２５いずれか１項記載の医薬組成物。
【手続補正２】
【補正対象書類名】特許請求の範囲
【補正対象項目名】請求項１２７
【補正方法】変更
【補正の内容】
【請求項１２７】
前記癌は、造血系、免疫系、内分泌系、肺、胃腸管系、筋骨格系、生殖系、中枢神経系または泌尿器系の癌であることを特徴とする請求項１２６記載の医薬組成物。
【手続補正３】
【補正対象書類名】特許請求の範囲
【補正対象項目名】請求項１２８
【補正方法】変更
【補正の内容】
【請求項１２８】
前記癌は、哺乳類の骨髄組織、リンパ節組織、膵臓組織、甲状腺組織、肺、結腸組織、直腸組織、肛門組織、肝臓組織、皮膚、骨、卵巣組織、子宮組織、膣組織、乳房、前立腺、精巣組織、脳、脳幹、髄膜組織、腎臓または膀胱に存在していることを特徴とする請求項１２６記載の医薬組成物。
【手続補正４】
【補正対象書類名】特許請求の範囲
【補正対象項目名】請求項１２９
【補正方法】変更
【補正の内容】
【請求項１２９】
前記癌は、哺乳類の骨髄組織、リンパ節組織、乳房、肺、卵巣または前立腺に存在していることを特徴とする請求項１２６記載の医薬組成物。
【手続補正５】
【補正対象書類名】特許請求の範囲
【補正対象項目名】請求項１３０
【補正方法】変更
【補正の内容】
【請求項１３０】
前記癌は、乳癌、多発性骨髄腫、前立腺癌、ホジキンリンパ腫、非ホジキンリンパ腫、急性リンパ球性白血病、慢性リンパ急性白血病、急性骨髄性白血病、慢性骨髄性白血病、腎細胞癌、悪性黒色腫、膵臓癌、肺癌、直腸結腸癌、結腸癌、脳腫瘍、腎臓癌、頭部および頸部癌、膀胱癌、甲状腺癌、卵巣癌、子宮頸癌または骨髄異形成症候群であることを特徴とする請求項１２６記載の医薬組成物。
【手続補正６】
【補正対象書類名】特許請求の範囲
【補正対象項目名】請求項１３１
【補正方法】変更
【補正の内容】
【請求項１３１】
前記癌は、乳癌、急性骨髄性白血病、慢性骨髄性白血病、黒色腫、多発性骨髄腫、小細胞性肺癌、卵巣癌または前立腺癌であることを特徴とする請求項１２６記載の医薬組成物。
【手続補正７】
【補正対象書類名】特許請求の範囲
【補正対象項目名】請求項１３２
【補正方法】変更
【補正の内容】
【請求項１３２】
前記哺乳類は、霊長類、ウマ、イヌ、ネコまたはウシであることを特徴とする請求項１２６記載の医薬組成物。
【手続補正８】
【補正対象書類名】特許請求の範囲
【補正対象項目名】請求項１３３
【補正方法】変更
【補正の内容】
【請求項１３３】
前記哺乳類がヒトであることを特徴とする請求項１２６記載の医薬組成物。
【手続補正９】
【補正対象書類名】特許請求の範囲
【補正対象項目名】請求項１３４
【補正方法】変更
【補正の内容】
【請求項１３４】
前記化合物の投与様式が、吸入、経口、静注、舌下、眼窩、経皮、直腸、膣、局所、筋肉内、動脈内、くも膜下、皮下、頬内または経鼻投与であることを特徴とする請求項１２６記載の医薬組成物。
【手続補正１０】
【補正対象書類名】特許請求の範囲
【補正対象項目名】請求項１３５
【補正方法】変更
【補正の内容】
【請求項１３５】
前記化合物の投与様式が静脈内投与であることを特徴とする請求項１２６記載の医薬組成物。
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
活性成分とフィルム形成性成分とを含む混合物を形成し、該混合物を基材材料上にコーティングすることによりフィルムを形成し、次いで湿分約１５重量％未満の含水率まで該フィルムを乾燥させることによって調製された、活性成分を含有する可溶性のフィルムであって、前記活性成分が、室温において約１ｇ／４ｍＬ未満の水溶性を有し、そして該活性成分を含有する可溶性フィルムの単回投与形態の投与に所望の作用を与えるのに十分な量でフィルム中に存在するものである、フィルム。
【請求項２】
前記活性成分の室温における水溶性が約１ｇ／１０ｍＬ未満である、請求項１に記載のフィルム。
【請求項３】
前記混合物が溶液の形態を成す、請求項１に記載のフィルム。
【請求項４】
前記混合物に熱及び／又は撹拌を加えると、溶液が形成される、請求項３に記載のフィルム。
【請求項５】
前記混合物が懸濁液の形態を成す、請求項１に記載のフィルム。
【請求項６】
前記活性成分がカフェインである、請求項３に記載のフィルム。
【請求項７】
最終調製されたフィルムの重量を基準として約１８乾燥重量％以上のカフェインを含む、請求項６に記載のフィルム。
【請求項８】
約２０乾燥重量％以上のカフェインを含む、請求項７に記載のフィルム。
【請求項９】
約２５乾燥重量％以上のカフェインを含む、請求項８に記載のフィルム。
【請求項１０】
前記フィルム形成性成分が、約８５％以上の化工澱粉を含む澱粉成分を含むものである、請求項１に記載のフィルム。
【請求項１１】
前記澱粉は、ヒドロキシアルキル化澱粉及びスクシネート化澱粉から成る群から選択されるものである、請求項１０に記載のフィルム。
【請求項１２】
フィルムの重量を基準として、約１８乾燥重量％以上のカフェインを含む、可溶性のカフェイン含有フィルム。
【請求項１３】
単回投与フィルム当たり約２０ｍｇ〜約３０ｍｇのカフェインを含む、単回投与用の請求項１２に記載の可溶性のカフェイン含有フィルム。
【誤訳訂正書】
【提出日】平成20年1月30日(2008.1.30)
【誤訳訂正１】
【訂正対象書類名】特許請求の範囲
【訂正対象項目名】請求項１１
【訂正方法】変更
【訂正の内容】
【請求項１１】
式中、qは0または1であり；
WはOまたはSであり；
XはCOであり；
ZはOであり；
R1およびR2はハロゲン、ハロ-C1-6-アルキル（アルケニル／アルキニル）、C1-6-アルキル（アルケニル／アルキニル）およびシアノからなる群から独立して選択され；
R3はC1-10-アルキル（アルケニル／アルキニル）、C3-8-シクロアルキル（シクロアルケニル）-C1-6-アルキル（アルケニル／アルキニル）、Ar-C1-6-アルキル（アルケニル／アルキニル）およびArからなる群から選択され；そして、
R4、R5、R6およびR7は水素およびArからなる群から独立して選択される、
請求項1記載の置換されたモルホリン誘導体またはその塩。